(57)【要約】【課題】本発明は、家庭で子供等がＴＶ、パソコン等の家庭用電子機器に対する無分別な視聴及び使用を制限するために、予め制限しておいた時間帯にのみ利用が可能なようにした電子機器の使用制限装置に関するものである。【解決手段】本発明はＴＶやパソコン等のような映像媒体電子機器の本体或いはＣＲＴにタイマーを組込み、特に連続使用、タイマーの設定時間帯の使用及び使用停止モードに選択し得る３段切替えスイッチ２，２ａを設け、タイマーモードに選択された場合にはタイマーに設定された時間帯にのみ電源が供給され映像媒体の駆動を可能ならしめ、タイマーの設定時間終了以前に終了時間が迫ったことを警報手段で予告してくれるようにして成されている。【選択図】図４
2004501361.tif 000002
【特許請求の範囲】
【請求項１】
ＴＶ（１）及びパソコン（５）等電子機器の本体前面一側に設置されるリモコン受信部（３）（３ａ）と、
前記リモコン受信部（３）（３ａ）でリモコン信号を送信し、電子機器を３つのモード（連続、タイマー、停止）に選択できるタイマー専用リモコン（６ａ）と、
タイマー専用リモコン（６ａ）を利用したタイマーモード選択時電子機器の使用時間を設定し、電子機器に組込まれる使用制限用タイマー（１１ａ）と、
タイマー専用リモコン（６ａ）でタイマーモード選択時使用制限用タイマー（１１ａ）の現在時間と予め設定してある設定時間によって、電子機器を作動させ、現在時間及び設定時間をディスプレイさせるマイクロプロセッサ部（１０）と、
前記のタイマーモード選択による電子機器の駆動時終了時間が近付くと終了予備信号を送出させ、電子機器を正常終了させるようにする予告手段を具備したことを特徴とするタイマー専用リモコンによる電子機器の使用制限装置。
【請求項２】
第１項において、電子機器のＣＲＴや本体のいずれか一側に３段切替えスイッチ用キーホールダを設け、前記３段切替えスイッチ用キーホールダに適用させ、キーを挿入し３つのモード（連続、タイマー、停止）に選択するように構成したことを特徴とする電子機器の使用制限装置。
【請求項３】
第１項において、使用制限用タイマーは現在時間設定用タイマーと、別途設置されるタイマー専用リモコンやキーロックにより、時間設定が可能なようにすることを特徴とする電子機器の使用制限装置。
【請求項４】
第１項において、タイマー（１１）の設定時間は１週間単位に使用時間を設定するＯＳＤ画面を表示した状態でカーソルを移動させながら、数字を入力させて設定し、１週間単位で設定された時間を繰返して作動させることを特徴とする電子機器の使用制限装置。
【発明の詳細な説明】
【０００１】
【発明が属する技術分野】
本発明は家庭で子供等がＴＶ，パソコン等の家庭用電子機器に対する無分別な視聴及び使用を制限するために、予め設定しておいた時間帯にのみ利用が可能なようにした電子機器の使用制限装置に関するものである。
【０００２】
【従来の技術】
最近家庭に具備されているパソコンやＴＶ等は有用であり、膨大な量の情報、娯楽等を提供する重要な電子媒体ではあるものの、無分別かつ、過度な使用はこれら電子機器の逆機能にして好ましくない。
特に、理性的な判断が期待されない子供等や青少年はパソコン娯楽やＴＶ視聴に過大な時間を費やすことは、教育的にも情緒的にも好ましくないばかりでなく、視力の低下等の要因ともなり得るので節制させる必要がある。
【０００３】
一方、既存のＴＶやパソコンには過度な視聴や使用を制限するためにキーで電子機器の騒動を制限するキーロック機能と、暗証番号入力時にのみ駆動するようにする暗証番号入力機能を備えたもの等があるものの、これらの機能は電子槻器の使用を完全にかつ、強制的に抑制する統制機能や保安手段に過ぎない。
しかしながら、現在これらをある程度制限的に使用し得るように適切に統制できる方法や電子機器等が無いのか現状である。特に、保護者の留守や両親の共稼ぎ等による不在中の場合に完全に統制するよりは、子供等に有益で教育的なプログラムや一定時間の適当なパソコンの娯楽及びインターネットの利用等は必要であり、重要なことでもある。
【０００４】
【発明が解決しようとする課題】
本発明はＴＶやパソコン等の電子機器使用を統制するものの、特定時間帯には誰もが自由に視聴や使用が可能なようにすることにより、電子機器の効率的な統制を可能にしたものである。
【０００５】
【課題を解決するための手段】
本発明は、ＴＶやパソコンの使用を制限する制限用タイマーを組込む一方、前記制限用タイマーの動作はキーロック或いは小形のタイマー専用リモコンによって制御されるようにし、連続使用、タイマーの設定時間帯使用及び使用停止を３段切替えスイッチで選択するようにし、タイマー設定時間帯使用が選択された場合には制限用タイマーに設定された時間帯にのみ電子機器の使用が可能で、それ以外の時間帯にはモードの選択によって連続使用或いは使用停止を可能にすることにより成される。
【０００６】
【発明の実施の形態】
本発明の実施例によれば図１のＴＶ（１）と図２のパソコン（５）の内部に使用を制限する制限用タイマー（１１ａ）を組込み、連続使用、タイマー、使用停止モードで選択し得る３段切替えスイッチを設け、映像媒体の駆動が可能なようにした電子機器の使用制限装置に関するものである。
このような本先明の３段切替えスイッチはＴＶ（１）やパソコン（５）のＣＲＴや本体の一側に設けられ、キーロックによる３段切替えスイッチ（２）（２ａ）或いは別途に設置されたリモコン信号受信部（３）（３ａ）を利用して調整できる。一方、リモコン信号受信部（３）は別途に設置せず、既に設置されたのを利用することもできる。
前記キーロックによる３段切替えスイッチ（２）（２ａ）は図１及び図２の通りＴＶ（１）やパソコン（５）の前面下部、上部及び側面に設置することもでき、その設置位置に関係なくキーを利用して連続、タイマー、停止の３つのモードの内１つのモードを選択することができる。
【０００７】
一方、リモコン受信部（３）による３段切替えスイッチの調整はＴＶ（１）の場合、図３のように一般機能の駆動用システムリモコン（６）とは別に小形のタイマー専用リモコン（６ａ）を具備し、パソコン（５）に適用させる場合はタイマー専用リモコン（６ａ）のみを具備し、チャンネルやボリュームの調整キーは具備しない。タイマー専用リモコン（６ａ）は小形に制作され、機能の誤作動や破損防止のため蓋を取付けて携帯が簡便なように制作する。
さらに、ＴＶ（１）またはパソコン（５）の内部には制限用タイマー（１１ａ）を設置し、タイマーの操作はタイマー専用リモコン（６ａ）またはパソコンのキーボード等を利用して操作するようにする。
この時、本発明の制限用タイマー（１１ａ）はキーロックによる場合３段切替えスイッチホールダ（２）にキーを挿入した状態でのみ設定時間の変更及び設定が可能であり、制限用タイマー（１１ａ）の現在の時間は電子機器に組込まれたシステムタイマー（１１）による現在時間とは別に作動させることができる。例えば、その理由はパソコン（１）の現在時間は誰もが変更可能で、パソコンの現在時間を変更する場合、タイマーの設定時間に関係なく利用可能なため、無節制な視聴やパソコンの使用のために子供等が制限用タイマー（１１ａ）の設定時間を勝手に変更できないようにするためである。
【０００８】
本発明は図４の通り、制御信号入力部（１２）とチューナ（１９）等の信号をマイクロプロセッサ部（１０）で認識し、ＯＳＤ処理部（１４）、音声編集制御部（１６）及び、出力部（１５）を制御するように構成する。
制御信号入力部（１２）はリモコン、キーボード、マウス、ジョイスティック等を含む事ができ、貯蔵媒体（１３）はＣＤ、ハードディスク又はフロッピー（登録商標）ディスク等を含む。
マイクロプロセッサ部（１０）は前記制御信号人力部（１２）の入力によって、ＯＳＤ処理部（１４）と出力部（１５）を制御してタイマーの設定時間を設定するか又は、タイマーの設定時間によって音声編集制御部（１６）を制御して音声メモリ部（１７）に貯蔵された音声信号がＤ／Ａ変換器（１８）を経て出力部（１５）で出力するように制御する。
本発明の前記キーロックによる３段切替えスイッチ（２）（２ａ）とタイマー専用リモコン（６）はＴＶ（１）やパソコン（５）のパワースイッチ（４）（４ａ）を‘ＯＮ’させた状態でのみ作動が可能であり、連続、タイマー、停止の３モードの内で１つのモードを選択して使用することができ、これらモード選択はマイクロプロセッサ部（１０）で認識して貯蔵される。
【０００９】
さらに、タイマー専用リモコン（６ａ）でタイマーモードを選択する場合に画面には図５の通り、タイマー時間の設定表をディスプレイさせ使用者が曜日別にＯＮ／ＯＦＦ時間を設定するようにし、この時設定された時間が電子機器の使用時間であるため、子供や青少年の曜日別視聴許容時間帯を考慮してＯＮ／ＯＦＦ時間を設定することができる。
【００１０】
しからば本発明の実施例として先ずキーロックによる３段切替えスイッチ（２）のタイマー専用リモコン（６ａ）を利用して、ＴＶ（１）の視聴を制限し、選択的な視聴を可能にする過程を図６に基づき察する。
先ず、ＴＶ（１）の場合にパワースイッチ（４）をＯＮさせた状態でキーロックによる３段切替えスイッチ（２）或いはタイマー専用リモコン（６ａ）を利用して連続、タイマー、停止モードの内で選択しなければならず、連続モードを選択する場合には、システムリモコン（６）によるＴＶの作動が可能であり、この時暗証番号が設定されている場合は暗証番号確認ルーティンを経て暗唱番号が合う場合にのみシステムリモコン（６）によるＴＶ（１）の作動が可能となり、視聴の終了がしたい時にはシステムリモコン（６）、キーロックによる３段切替えスイッチ（２）、タイマー専用リモコン（６ａ）の電源ボタンやパワースイッチ（４）等を利用して電源をＯＦＦするようになる。
【００１１】
さらに、タイマーモードを選択した場合にはタイマー設定が完了したかをチェックし、タイマー設定ＯＳＤを表示させタイマー時間設定を誘導する。
この時、タイマー時間設定は必ずキーロックによる３段切替えスイッチ（２）にキーを挿入してタイマーモードに選択し、タイマー専用リモコン（６）或いは機能キーによって可能ならしめる。
さらに、タイマー選択モードでタイマー時間設定が完了した状態では現在時間と設定時間をチェックし、現在時間が設定時間と同じ時からシステムリモコン（６）及び機能キーによるＴＶの作動を可能にし、継続的に現在時間と終了時間をチェックし、終了１０分前と５分前にそれぞれ終了予備信号（ＯＳＤ文字又は映像及び音声信号）を送出して終了が迫ったことを知らせるようにする。
【００１２】
この場合にはキーロックによる３段切替えスイッチ（２）のキー或いはタイマー専用リモコン（６ａ）を利用して設定しておいた時間帯にのみＴＶの視聴が可能である。つまり、保護者が視聴可能時間を設定しておいてキーロックによる３段切替えスイッチ（２）の専用キーやタイマー専用リモコン（６ａ）を持って外出すれば、家に残っている子供や青少年は親が設定しておいた時間帯以外には視聴ができなくなることにより効果的な視聴制限が可能である。
さらに、停止モードを選択する場合には、連続モードとタイマーモードを無視した状態にして、パワースイッチ（４）のＯＮ状態で必ずキーロックによる３段切替えスイッチ（２）やタイマー専用リモコン（６）によるモード選択が可能であり、選択後一定時間後にはパワースイッチ（４）はＯＦＦ状態となる。特に、この停止モードではＴＶ（１）の全システムを完全にＯＦＦさせた状態であるため視聴が不可能となる。
【００１３】
次は本発明の実施例としてパソコン（５）の使用を制限する過程を図７により調べてみる。
この時にもパソコン（５）に組込まれたタイマーの動作モードは、パワースイッチ（４ａ）がオン状態からキーロックによる３段切替えスイッチ（２ａ）或いはタイマー専用リモコン（６ａ）のみを利用して選択されるようにし、さらにパソコンの使用時間の設定はタイマーモードに選択した後、タイマー専用リモコン（６ａ）或いはパソコンのキーボード等を利用して設定することもでさる。
キーロックによる３段切替えスイッチ（２ａ）やタイマー専用リモコン（６ａ）で連続モードを選択しておいた場合には使用者は別段の制限無しでパソコン（５）の連続使用が可能であり、但し、暗証番号が設定されている場合は暗証番号のみを入力すると、時間に制限なく使用が可能である。
【００１４】
さらに、タイマーモードを選択する時には前記と同様にキーロックによる３段切替えスイッチ（２ａ）やタイマー専用リモコン（６ａ）を利用してタイマーモードを選択する前に、必ずパワースイッチ（４ａ）がＯＮ状態でモードを選択しなければならず、使用時間の設定が可能である。特に、このモードでは保護者が留守であっても、子供が必ず必要な時間帯にのみ電子機器の使用を許諾することができ、設定された時間が過ぎると強制的に使用を制限するようになる。さらに設定終了時間が迫ると１０分前と５分前にそれぞれ終了予備信号（ＯＳＤ文字、特殊映像或いは音声信号）を送出して終了が近付いたことを使用者に知らせることにより、使用者が正常的な終了をなすことができ、パソコン（５）のデータの破損やシステムめ損傷を防止するようにする。
【００１５】
本発明はこのようにタイマーモードを選択する場合は保護者が留守の時、設定時間帯分は自由に使用が可能なようにし、設定時間帯以外にはその使用を適切に制限することにより、選択的に使用者を許諾するようになる。
さらに、停止モードを選択する場合には、連続モードとタイマーモードを無視した状態であって、パワースイッチ（４ａ）のＯＮ状態で必ずキーロックによる３段切替えスイッチ（２ａ）やタイマー専用リモコン（６ａ）によるモード選択が可能であり、一定時間後にはパワースイッチ（４ａ）はＯＦＦ状態となる。
特にこの停止モードではパソコン（５）の全システムを完全にロックさせ、保安機能もなし得るのでいかなる使用者もパソコン（５）を使用できない状態となる。
【００１６】
【発明の効果】
本発明はＴＶ、パソコン等の電子機器を連続、タイマー及び停止モードの内一つのモードを選択使用できるキーロックによる３段切替えスイッチとタイマー、さらにこれらを操作し得る専用キーとタイマー専用リモコンを具備することにより、タイマーに設定された時間帯にのみＴＶまたはパソコンの使用が可能であり、それ以外の時間帯には使用を制限するようにし、子供や青少年等をして保護者の不在中にも予定された時間帯以外には使用の制限が可能なようにしたものである。
従って、本発明は保護者の不在時青少年や子供の無節制な電子機器の使用を効果的に制限できるように、操作後には専用キー或いはタイマー専用リモコンを携帯するか、または、一定の場所に保管して予定された時間以外には視聴を不可能と成し得るので、上述した問題点等を容易に解決でさるばかりでなく、特にパソコンに応用される場合には他人よりの保安効果も十分に期待できる。
【図面の簡単な説明】
【図１】
本発明を適用したＴＶの斜視図である。
【図２】
本発明を適用したパソコンの斜視図である。
【図３】
本発明のシステムリモコン及びタイマー専用リモコンの平面図である。
【図４】
本発明のハードウェア構成図である。
【図５】
本発明のタイマー時間設定表示図である。
【図６】
本発明を適用させたＴＶの動作図である。
【図７】
本発明を適用させたパソコンの動作図である。
【符号の説明】
ｌ：ＴＶ
２，２ａ：キーロックによる３段切り替えスイッチ
３：リモコン受信部
４，４ａ：パワースイッチ
５：パソコン
６：システムリモコン１
７：タイマー専用リモコン２
１０：マイクロプロセッサ部
１１：タイマー
１２　制御信号入力部
１４：ＯＳＤ処理部
１５：出力部
１６：音声編集制御部
【図１】
2004501361.tif 000003
【図２】
2004501361.tif 000004
【図３】
2004501361.tif 000005
【図４】
2004501361.tif 000006
【図５】
2004501361.tif 000007
【図６】
2004501361.tif 000008
【図７】
2004501361.tif 000009
【国際公開パンフレット】
2004501361.tif 000010
2004501361.tif 000011
2004501361.tif 000012
2004501361.tif 000013
2004501361.tif 000014
2004501361.tif 000015
2004501361.tif 000016
2004501361.tif 000017
2004501361.tif 000018
2004501361.tif 000019
2004501361.tif 000020
2004501361.tif 000021
2004501361.tif 000022
2004501361.tif 000023
2004501361.tif 000024
【国際調査報告】
2004501361.tif 000025
2004501361.tif 000026